【手続補正書】
【提出日】平成20年1月11日(2008.1.11)
【手続補正１】
【補正対象書類名】明細書
【補正対象項目名】特許請求の範囲
【補正方法】変更
【補正の内容】
【特許請求の範囲】
【請求項１】コンピュータとこれに接続されたプリンタをそれぞれもっている複数のプリント拠点並びにコンピュータをもっている管理センターを有する提携システムにおいて、いずれかのプリント拠点のコンピュータによってプリント注文データおよび注文デジタル画像データを受けるステップと、少なくとも前記プリント注文データを前記注文を受けた拠点のコンピュータから前記管理センターのコンピュータに転送するステップと、受けたプリント注文データに基づいて注文を受けた拠点から他の拠点にプリント注文データおよび注文デジタル画像データを転送するかどうかを決定するステップと、転送が決定された場合に前記管理センターのコンピュータから前記他の拠点のコンピュータに少なくとも前記プリント注文データを転送するステップと、転送されてくる前記注文デジタル画像データを前記他の拠点のプリンタによってプリントするステップとを有することを特徴とする提携方法。
【請求項２】各拠点は配送システムを有し、前記他の拠点でプリントが行われたときに前記他の拠点の配送システムによってプリントを配送するステップをさらに有することを特徴とする請求項１記載の提携方法。
【請求項３】前記注文を受けた拠点のコンピュータから前記管理センターのコンピュータにデータを転送するステップにおいて前記プリント注文データとともに前記注文デジタル画像データを転送するとともに、前記管理センターのコンピュータから前記他の拠点のコンピュータにデータを転送するステップにおいて前記プリント注文データとともに前記注文デジタル画像データを転送することを特徴とする請求項１または請求項２記載の提携方法。
【請求項４】前記注文デジタル画像データを、前記注文を受けた拠点のコンピュータから前記他の拠点のコンピュータに転送するステップを有することを特徴とする請求項１または請求項２記載の提携方法。
【請求項５】前記複数の拠点の一つが前記管理センターを兼ねていることを特徴とする請求項１から請求項４のいずれかに記載の提携方法。
【請求項６】前記プリント注文データを前記管理センターのコンピュータのデータベースに記録することを特徴とする請求項１から請求項５のいずれかに記載の提携方法。
【請求項７】転送を受けた前記プリント注文データの処理に関する進捗報告を前記他の拠点のコンピュータから前記管理センターのコンピュータに行うステップ有することを特徴とする請求項１から請求項６のいずれかに記載の提携方法。
【請求項８】前記進捗報告を前記管理センターのコンピュータのデータベースに記録するステップと、任意の前記拠点のコンピュータが前記管理センターのコンピュータから進捗報告の記録を入手するステップを有することを特徴とする請求項７記載の提携方法。
【請求項９】前記プリント注文データは各拠点間で共通の書式に従って作成されることを特徴とする請求項１から請求項８のいずれかに記載の提携方法。
【請求項１０】前記プリント注文データに複数の配送希望地が含まれているときはこれを複数の注文に分割し、分割された注文毎に注文を受けた拠点から他の拠点にプリント注文データおよび注文デジタル画像データを転送するかどうかを決定することを特徴とする請求項１から請求項９のいずれかに記載の提携方法。
【請求項１１】他の拠点にプリント注文データおよび注文デジタル画像データを転送するか否かに関わらず、すべてのプリント注文データを前記管理センターのコンピュータに転送することを特徴とする請求項１から請求項１０のいずれかに記載の提携方法。
【請求項１２】拠点の全受注案件を管理センターのコンピュータのデータによって管理することを特徴とする請求項１１記載の提携方法。
【請求項１３】他の拠点にプリント注文データおよび注文デジタル画像データを転送する必要がある場合のみプリント注文データを前記管理センターのコンピュータに転送することを特徴とする請求項１から請求項１０のいずれかに記載の提携方法。
【請求項１４】複数のプリント拠点からコンタクト可能であって、プリント注文データおよび注文デジタル画像データを受けた拠点から少なくともプリント注文データを受取る手段と、このプリント注文データを他の拠点に転送する必要があるかどうかを判断する手段と、転送の必要がある場合に、このプリント注文データを前記他の拠点に転送する手段とを有することを特徴とする提携システム。
【請求項１５】プリント注文データおよび注文デジタル画像データを受けた拠点からプリント注文データとともに注文デジタル画像データを受取る手段と、データの転送の必要がある場合に、このプリント注文データとともに注文デジタル画像データを前記他の拠点に転送する手段とを有することを特徴とする請求項１４記載の提携システム。
【請求項１６】プリント注文データおよび注文デジタル画像データを受けた拠点から受取った前記プリント注文データを記録する記録手段を有することを特徴とする請求項１４または請求項１５に記載の提携システム。
【請求項１７】前記他の拠点から転送したプリント注文データに関する進捗報告を受け、これを前記記録手段に入力する手段を有することを特徴とする請求項１６記載の提携システム。
【請求項１８】複数のプリント拠点からコンタクト可能であって、プリント注文データおよび注文デジタル画像データを受けた拠点から少なくともプリント注文データを受取る手段と、前記プリント注文データに複数の配送希望地が含まれているときはこれを複数の注文データに分割する手段と、分割された注文データ毎に注文を受けた拠点から他の拠点にプリント注文データを転送する必要があるかどうかを判断する手段と、転送の必要があるプリント注文データを前記他の拠点に転送する手段とを有することを特徴とする提携システム。
【請求項１９】プリント注文データおよび注文デジタル画像データを受けた拠点からプリント注文データとともに注文デジタル画像データを受取る手段と、データの転送の必要がある場合に、このプリント注文データとともに注文デジタル画像データを前記他の拠点に転送する手段とを有することを特徴とする請求項１８記載の提携システム。
【請求項２０】コンピュータをそれぞれもっている複数の拠点間の提携方法において、いずれかの拠点において注文を受けてコンピュータに注文データとして記録するステップと、前記注文データに複数の商品提供先が含まれているときはこれを複数の注文データに分割するステップと、分割された注文データ毎に注文を受けた拠点のコンピュータから他の拠点のコンピュータに注文データを転送するかどうかを判断するステップと、注文データの転送を受けた前記他の拠点において商品の提供をおこないコンピュータに記録するステップとを有することを特徴とする提携方法。
【請求項２１】複数の拠点からコンタクト可能であって、注文を受けた拠点から注文データを受取る手段と、前記注文データに複数の商品提供先が含まれているときはこれを複数の注文データに分割する手段と、分割された注文データ毎に注文を受けた拠点から他の拠点に注文データを転送する必要があるかどうかを判断する手段と、転送の必要がある注文データを前記他の拠点に転送する手段とを有することを特徴とする提携システム。
【請求項２２】コンピュータをそれぞれもっている複数の拠点およびコンピュータをもっている管理センターを有する提携システムにおいて、いずれかの拠点のコンピュータによって注文データを受けるステップと、前記注文データを前記注文を受けた拠点のコンピュータから前記管理センターのコンピュータに転送するステップと、前記管理センターのコンピュータから前記他の拠点のコンピュータに注文データを転送するステップと、注文データの転送を受けた前記他の拠点において商品の提供をおこないコンピュータに記録するステップとを有することを特徴とする提携方法。
【手続補正２】
【補正対象書類名】明細書
【補正対象項目名】０００４
【補正方法】変更
【補正の内容】
【０００４】
【発明が解決しようとする課題】
受渡希望場所に速やかに商品を提供する場合、一つの拠点から商品を配送するのではなく、受渡希望場所の最寄の拠点から配送したほうがよい。例えば、デジタル画像のプリントの場合、受注した拠点でプリントして配送するよりも、受渡希望場所に近い拠点に受けた注文データおよび画像データを通信手段で転送し、その拠点でプリントをして配送したほうが早い。しかしながら、拠点同士が一つの事業体でない場合は、受注の実行について互いにどう責任をもつかなど問題点が多い。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】